(57)【要約】      （修正有）【課題】木製平パレットを古材として再利用するための再生方法を提供する。【解決手段】パレット幅方向と平行に並設されたエッジボード１１とデッキボード１２の長手方向両端部と該両端部に固定されたけた１３又はブロック及びけた板とを含む２つの端部分を中央部分から切り離すように、木製平パレット１をパレット長さ方向に切断する工程と、切断した前記端部分及び前記中央部分の各々について、エッジボード及びデッキボードをけた又はブロック及びけた板から分離する工程と、分離したエッジボード及びデッキボードに残る釘を抜き取る工程と、釘１６を抜き取ったエッジボード及びデッキボードを製材する工程と、を有する木製平パレットの古材への再生方法である。【選択図】図２
2017007682.tif 000002
【特許請求の範囲】
【請求項１】
パレット幅方向と平行に並設されたエッジボードとデッキボードの長手方向両端部と該両端部に固定されたけた又はブロック及びけた板とを含む２つの端部分を中央部分から切り離すように、木製平パレットをパレット長さ方向に切断する工程と、
切断した前記端部分及び前記中央部分の各々について、エッジボード及びデッキボードをけた又はブロック及びけた板から分離する工程と、
分離したエッジボード及びデッキボードに残る釘を抜き取る工程と、
釘を抜き取ったエッジボード及びデッキボードを製材する工程と、を有する
木製平パレットの古材への再生方法。
【請求項２】
請求項１に記載の、木製平パレットの古材への再生方法により再生された古材。
【請求項３】
請求項１に記載の、木製平パレットの古材への再生方法により再生された古材を施工対象の下地に対して固定することを特徴とする、古材を用いた施工方法。
【発明の詳細な説明】
【技術分野】
【０００１】
本発明は、木製平パレットを解体し古材として再利用するための再生方法、並びに再生された古材及びこれを用いた施工方法に関する。
【背景技術】
【０００２】
フォークリフトによる荷役作業等の際に用いる木製平パレットは、ＪＩＳ規格によるものやこれに類するものがある。木製平パレットは、所定の耐荷重（０．５ｔ〜２ｔ）を要求されるものであるから、経年使用により強度が低下すると使用不可となり、廃材として処理しなければならなくなる。
【０００３】
図７は、ＪＩＳ規格による木製平パレットの種類の一部を示した図である。この図では、Ｓ２（単面形二方差し）、ＳＵ２（単面単翼形二方差し）、Ｄ２（片面使用形二方差し）、Ｄ４（片面使用形四方差し）、ＤＰ４（片面使用けたくり抜き形）、ＤＵ２（片面使用単翼形二方差し）、Ｒ４（両面使用形四方差し）、ＲＷ２（両面使用複翼形）の８種類を示している。この他の種類としては、Ｓ４（単面形四方差し）、ＳＰ４（単面けたくり抜き形）、Ｒ２（両面使用形二方差し）がある。
【０００４】
差込口の間隔を空けるためのけた又はブロックを挟んで上面のみ又は上下両面に複数の板材（デッキボード及びエッジボード）が並設されている。差込口の高さは７５ｍｍ〜１００ｍｍである。木製平パレットの全高は、これに片面又は両面の板材の厚さを加えたものとなる。平面視では長方形であり、長さ又は幅は８００ｍｍ〜１２００ｍｍである。
【０００５】
特許文献１には、木製平パレットのリサイクル方法として、使用済みの木製パレットの構成材を破砕機にかけて細刻し、細刻された木片同士をバインダーを介して熱圧締めすることによってデッキボードを形成することが記載されている。このデッキボードは新たな木製平パレットに使用される。
【先行技術文献】
【特許文献】
【０００６】
【特許文献１】登録実用新案第３１１６２７２号公報
【発明の概要】
【発明が解決しようとする課題】
【０００７】
使用済みの木製平パレットは、荷役作業用としての強度は低下しているものの、建築分野における床材や壁材等の非構造部材としては十分な強度を備えている。また、耐荷重が要求されることから、比較的良質の木材が使用されている。これに加え、経年変化により表面の模様に独特な風合いが生じている。従って、使用済みの木製平パレットは、建築用の古材として、あるいは、家具や装飾品用の古材として有望な素材となり得るものである。しかしながら、現状ではほとんどの木製平パレットが廃材として処理されている。
【０００８】
以上の現状に鑑み、本発明の目的は、木製平パレットを古材として再利用するための加工方法、すなわち木製平パレットの古材への再生方法を提供することであり、また、再生された古材及びこれを用いた施工方法を提供することである。
【課題を解決するための手段】
【０００９】
上記の目的を達成するために、本発明は、以下の構成を有する。
本発明の第１の態様は、木製平パレットの古材への再生方法であって、パレット幅方向と平行に並設されたエッジボードとデッキボードの長手方向両端部と該両端部に固定されたけた又はブロック及びけた板とを含む２つの端部分を中央部分から切り離すように、木製平パレットをパレット長さ方向に切断する工程と、切断した前記端部分及び前記中央部分の各々について、エッジボード及びデッキボードをけた又はブロック及びけた板から分離する工程と、分離したエッジボード及びデッキボードに残る釘を抜き取る工程と、釘を抜き取ったエッジボード及びデッキボードを製材する工程と、を有するものである。
【００１０】
本発明の第２の態様は、上記の木製平パレットの古材への再生方法により再生された古材である。
本発明の第３の態様は、上記の木製平パレットの古材への再生方法により再生された古材を施工対象の下地に対して固定する、古材を用いた施工方法である。
【発明の効果】
【００１１】
本発明によれば、使用済みの木製平パレットを、建築用又は家具や装飾品用の古材として有効に再利用することができる。木製平パレットのデッキボード及びエッジボードは、種類によってばらつきはあるものの厚さ及び長さがほぼ同程度であるので、一般的な廃材の場合と比べて、同寸法の古材を多数作製することが容易である。また、木製平パレットのデッキボード及びエッジボードの厚さや長さは、床材や壁材として適切な大きさに近いので、建築用古材として用いる場合に大きな加工が不要である。本発明により、経年変化による独特な風合いをもつ古材を、低コストで大量に得ることができる。
【図面の簡単な説明】
【００１２】
【図１】図１（ａ）（ｂ）は、本発明による、木製平パレットの古材への再生方法を適用する木製平パレットの例を示す斜視図である。
【図２】図２は、木製平パレットの切断工程を模式的に示す斜視図であり、（ａ）は切断開始時の状態を示し、（ｂ）は切断完了後の状態を示している。
【図３】図３は、エッジボード及びデッキボードの分離工程を模式的に示す斜視図である。
【図４】図４は、エッジボード及びデッキボードの釘抜き取り工程を模式的に示す斜視図である。
【図５】図５（ａ）（ｂ）は、木製平パレットから再生された古材を用いた施工方法の一例を示す斜視図である。
【図６】図６は、本発明による古材を用いた施工方法により構築された実際の壁や床の例を示す写真である。
【図７】図７は、ＪＩＳ規格による木製平パレットの種類の一部を示した図である。
【発明を実施するための形態】
【００１３】
以下、本発明の実施例を示した図面を参照して本発明の実施形態を説明する。
図１（ａ）（ｂ）は、本発明による、木製平パレットの古材への再生方法を適用する木製平パレットの例を示す斜視図である。先ずこの図を参照して、木製平パレットの基本的構成を説明する。
【００１４】
図１（ａ）は、ＪＩＳ規格のＲ２（両面使用二方差し）に相当する木製平パレット１の一例を示す斜視図である。木製平パレット１は、その対向する２辺とそれらの中間位置に平行に配置された３本の角材からなるけた１３と、けた１３の上面と下面にそれぞれ配置固定された複数枚の長方形の平板材１１、１２とを具備する。平板材１１、１２は、けた１３と交差する方向に固定されている。隣り合うけた１３同士の間にフォークリフト用の差込口Ｖが形成される。
【００１５】
１つの面に配置される複数の平板材１１、１２は互いに並設されている。隣り合う平板材同士の隙間は適宜である。最も外側に配置された符号１１で示す一対の平板材は「エッジボード」と称される。一対のエッジボード１１の間に配置された符号１２で示す複数の平板材は「デッキボード」と称される。図示を簡単とするためにデッキボード１２を２枚のみ示しているが、３枚以上でもよく、また、エッジボード１１とデッキボード１２の板幅は異なっていてもよい。
【００１６】
一般的に木製平パレットについては、符号Ｗで示す方向を「パレット幅方向」と称する。パレット幅方向は、エッジボード１１及びデッキボード１２の長手方向と同じである。また、パレット幅方向に対して垂直な方向、符号Ｌで示す方向を「パレット長さ方向」と称する。
【００１７】
図１（ｂ）は、ＪＩＳ規格のＤ４（片面使用形四方差し）に相当する別の種類の木製平パレット１０の一例を部分的に示す斜視図である。四方差しの場合、二方差しで用いるけた１３の替わりにブロック１４とけた板１５を用いる。略立方体のブロック１４は、木製平パレット１０の四隅と、各辺の中間位置に配置される。隣り合うブロック１４同士の間に差込口Ｖが形成される。そして平板材である３枚のけた板１５が、木製平パレット１０のパレット長さ方向に沿ってブロック１４の上面に差し渡され固定されている。エッジボード１１及びデッキボード１２は、けた板１５の上面に、けた板１５と交差する方向すなわちパレット幅方向に沿って固定されている。
【００１８】
木製平パレット１０は片面使用なので下面は荷役に使用されないが、パレット幅方向に配置された各ブロック１４の下面にはエッジボード１１、デッキボード１２が固定され連結されている。図示しないが、別の例として、両面使用の場合はブロック１４の下面にもけた板１５が差し渡され固定され、それらの下面に交差する方向にエッジボードとデッキボードが固定される。
【００１９】
このように、木製平パレットは、上面と下面の間の高さ方向の間隔を形成するために、差込口を二方向に設ける場合は角材であるけた１３を用い、差込口を四方向に設ける場合はブロック１４とけた板１５を用いる。
【００２０】
なお、エッジボード１１、デッキボード１２の固定には、スクリュー釘又は鉄丸釘等の釘１６が用いられる。
【００２１】
また、木製平パレットに用いられる樹種には、あかまつ、くろまつ、米まつ、からまつ、米つが、なら、かば、ぶな、アピトン、カプール、タウン、ラワン、ビンタンゴール、レッドメランティがある。使用上有害な曲がり、反り、めぎれ、ねじれ、割れ、穴、虫食い、やにつぼ、やに線、入皮、変色、くされなどがないものが用いられるので、比較的良質な木材が使用されている。
【００２２】
上述した図７で示した通り、本発明を適用可能なＪＩＳ規格の木製平パレットは多種類存在する。さらに、これらに類似な木製平パレットについても、本発明を適用可能である。
【００２３】
次に、図２〜図５を参照して、木製平パレットの古材への再生方法の各工程を説明する。ここでは、図１（ａ）に示した木製平パレット１を例として説明するが、他の種類の木製平パレットについても同様である。
【００２４】
図２は、木製平パレット１の切断工程を模式的に示す斜視図であり、（ａ）は切断開始時の状態を示し、（ｂ）は切断完了後の状態を示している。
【００２５】
切断工程においては、電動丸ノコ等の適宜の切断工具Ｔを用いて木製平パレット１を切断する。切断は、図中に点線で示す２本の直線Ｃ１、Ｃ２に沿って行う。直線Ｃ１、Ｃ２は、パレット幅方向の両端から所定の距離に位置する。この所定の距離とは、各端からその端部に位置するけた１３の内側の縁までの距離であり、直線Ｃ１、Ｃ２は、けた１３の内側の縁に沿ってその直ぐ内側に位置する。切り離される２つの端部分には、エッジボード１１とデッキボード１２の長手方向の両端部と、これらの両端部に固定されたけた１３とが含まれる。
【００２６】
別の例として、図示しないが、図１（ｂ）に示したようなブロック１４とけた板１５により連結されている木製平パレットの場合は、けた板１５の内側の縁に沿って切断する。その場合、切り離される２つの端部分には、エッジボード１１とデッキボード１２の長手方向の両端部と、これらの両端部に固定されたブロック１４及びけた板１５とが含まれる。
【００２７】
２箇所の切断を完了すると、図２（ｂ）のように１つの中央部分１Ａと、２つの端部分１Ｂとが得られる。エッジボード１１とデッキボード１２も、それぞれ符号１１ａ、１２ａで示す長い板部材と、符号１１ｂ、１２ｂで示す矩形の板部材に切断される。この切断方法によれば、エッジボード１１とデッキボード１２の両端部の固定部分が切り落とされ、中央部分１Ａには真ん中の１つの固定部分のみが残るので、次の分離工程を容易に行えるようになる。
【００２８】
図３は、エッジボード及びデッキボードの分離工程を模式的に示す斜視図である。
図２で示した工程で切断した２つの端部分１Ｂ及び中央部分１Ａの各々について、エッジボード１１ａ、１１ｂ及びデッキボード１２ａ、１２ｂをけた１３から分離する。例えば、平バール等の手持工具を用いて、接合部の隙間にくさびのように差し込み、分離する。電動工具を用いてもよい。中央部分１Ａは、長いエッジボード１１とデッキボード１２の真ん中のみが固定されているので、くさびの作用で容易に引き剥がせる。分離した時点では、エッジボード１１ａ、１１ｂ及びデッキボード１２ａ、１２ｂに釘１６が残っている。一方、けた１３には釘穴１７が現れる。
【００２９】
別の例として、図１（ｂ）に示したようなブロック１４とけた板１５により連結されている木製平パレットの場合は、ブロック１４及びけた板１５から、エッジボード１１ａ、１１ｂ及びデッキボード１２ａ、１２ｂを引き剥がし、分離する。
【００３０】
図４は、エッジボード及びデッキボードの釘抜き取り工程を模式的に示す斜視図である。
図３に示した工程で分離したエッジボード１１ａ、１１ｂ及びデッキボード１２ａ、１２ｂに残る釘１６を、釘抜き等の手持工具を用いて抜き取る。この時点で、エッジボード１１ａ、１１ｂ及びデッキボード１２ａ、１２ｂに釘穴１７が現れる。
【００３１】
その後、エッジボード１１ａ、１１ｂ及びデッキボード１２ａ、１２ｂの製材工程を行う。製材工程においては、プレーナー機械等を用いて表面の平削り加工を行う。また、必要に応じて所望する長さ及び幅に切断してもよい。特に、長さが十分にあるエッジボード１１ａとデッキボード１２ａは、長さ調整可能な範囲が大きいので有用である。さらに、必要に応じて手動工具又は電動工具により表面のヤスリ掛けを行う。長さの短い矩形状のエッジボード１１ｂとデッキボード１２ｂも、例えば床、壁、家具、装飾品等における多様なデザインを形成するために、必要に応じて有効利用できる。
【００３２】
このようにして、木製平パレットが古材として再生される。この古材は、建築用古材として利用でき、また、家具や装飾品等を作製するための古材としても広く利用できる。
【００３３】
図５は、木製平パレットから再生された古材を用いた施工方法の一例を示す斜視図である。図５（ａ）は、施工対象の下地材２を示す。例えば、合板、構造用合板等の壁下地材や床下地材である。図５（ｂ）は、木製平パレットのエッジボード及びデッキボードから再生された古材１９を下地材２に固定した施工後の状態を示した図である。古材１９は、下地材２に対して、例えばネイルフィニッシュやピンタッカー等の工具を用いて釘止め施工する。別の例として、接着剤や粘着材等で貼り付け施工する。
【００３４】
古材１９を下地材２の表面上に固定する際は、多様な寸法及び色彩の古材１９を組み合わせて使用することができる。古材１９の表面の風合いを生かして、個々の板片を縦、横、斜め等に配置することにより多彩なデザインの壁や床を構築することができる。また、家具や装飾品等に利用する場合も同様に、多様な寸法及び色彩の古材１９を組み合わせて多彩なデザインとすることができる。
【００３５】
図６は、本発明による古材を用いた施工方法により構築された実際の壁又は床の例を示す写真である。
【符号の説明】
【００３６】
１、１０  木製平パレット
１Ａ  中央部分
１Ｂ  端部分
１１  エッジボード
１２  デッキボード
１３  けた
１４  ブロック
１５  けた板
１６  釘
１７  釘穴
１９  古材
２  下地
【図１】
2017007682.tif 000003
【図２】
2017007682.tif 000004
【図３】
2017007682.tif 000005
【図４】
2017007682.tif 000006
【図５】
2017007682.tif 000007
【図６】
2017007682.tif 000008
【図７】
2017007682.tif 000009